(57)【要約】【課題】床ずれを防止することができるマットレスを提供すること。【解決手段】本発明では、上層マットレス（２）と下層マットレス（３）とを積層した多層構造マットレス（１）において、重なり合う上層マットレス（２）の一端部と下層マットレス（３）の一端部との間に、上層マットレス（２）の一端部が下層マットレス（３）の一端部に対して下層マットレス（３）の一端部よりも外方側へ向けて移動するのを促進させるための移動促進手段（４）を設けることにした。前記移動促進手段（４）は、上層マットレス（２）の他端部の下面と下層マットレス（３）の他端部の上面との間の動摩擦係数よりも大きな動摩擦係数を有する面同士が相対的に移動することによって、上層マットレス（２）の一端部が下層マットレス（３）の一端部に対して下層マットレス（３）の一端部よりも外方側へ向けて移動する構成とすることにした。【選択図】図１
2017217223.tif 000002
【特許請求の範囲】
【請求項１】
上層マットレスと下層マットレスとを積層した多層構造マットレスにおいて、
重なり合う上層マットレスの一端部と下層マットレスの一端部との間に、上層マットレスの一端部が下層マットレスの一端部に対して下層マットレスの一端部よりも外方側へ向けて移動するのを促進させるための移動促進手段を設けたことを特徴とする多層構造マットレス。
【請求項２】
前記移動促進手段は、上層マットレスの他端部の下面と下層マットレスの他端部の上面との間の動摩擦係数よりも大きな動摩擦係数を有する面同士が相対的に移動することによって、上層マットレスの一端部が下層マットレスの一端部に対して下層マットレスの一端部よりも外方側へ向けて移動する構成としたことを特徴とする請求項１に記載の多層構造マットレス。
【請求項３】
前記移動促進手段は、重なり合う上層マットレスの一端部と下層マットレスの一端部との間に二つ折りにしたシートを設けたことを特徴とする請求項２に記載の多層構造マットレス。
【発明の詳細な説明】
【技術分野】
【０００１】
本発明は、上層マットレスと下層マットレスとを積層した多層構造マットレスに関するものである。
【背景技術】
【０００２】
近年、病院用や介護用などの用途で背もたれ部分を起立（上方に向けて回転）させることで、マットレス上に横臥する患者や被介護者等の使用者の上半身をマットレスごと起こすことができるギャッジベッドが広く利用されている。
【０００３】
このギャッジベッドでは、背もたれ部分の起立起点（回転中心）と使用者の身体が曲がる位置との間にずれがあるために、背もたれ部分の起立時に使用者の身体に負担がかかるばかりか、マットレスが背もたれ部分の移動に伴って使用者の身体に対して強制的に移動してしまい、使用者に床ずれを生じさせてしまうといった問題があった。
【０００４】
そのため、従来においては、上記問題に対応するために、マットレスを上層マットレスと下層マットレスとに積層した二層構造マットレスが提案されている（特許文献１参照。）。
【先行技術文献】
【特許文献】
【０００５】
【特許文献１】特開平１１−１３７６１２号公報
【発明の概要】
【発明が解決しようとする課題】
【０００６】
ところが、上記二層構造マットレスでは、上層マットレスと下層マットレスとを単に積層させただけの構造であるため、マットレス上に使用者が横臥した状態でギャッジベッドの背もたれ部分を起立させた場合に、マットレスに使用者の体重がかかった状態では上層マットレスを下層マットレスに対して円滑に移動させることができず、使用者の床ずれを防止するといった効果が得られないおそれがあった。
【課題を解決するための手段】
【０００７】
そこで、請求項１に係る本発明では、上層マットレスと下層マットレスとを積層した多層構造マットレスにおいて、重なり合う上層マットレスの一端部と下層マットレスの一端部との間に、上層マットレスの一端部が下層マットレスの一端部に対して下層マットレスの一端部よりも外方側へ向けて移動するのを促進させるための移動促進手段を設けることにした。
【０００８】
また、請求項２に係る本発明では、前記請求項１に係る本発明において、前記移動促進手段は、上層マットレスの他端部の下面と下層マットレスの他端部の上面との間の動摩擦係数よりも大きな動摩擦係数を有する面同士が相対的に移動することによって、上層マットレスの一端部が下層マットレスの一端部に対して下層マットレスの一端部よりも外方側へ向けて移動する構成とすることにした。
【０００９】
また、請求項３に係る本発明では、前記請求項２に係る本発明において、前記移動促進手段は、重なり合う上層マットレスの一端部と下層マットレスの一端部との間に二つ折りにしたシートを設けることにした。
【発明の効果】
【００１０】
そして、本発明では、以下に記載する効果を奏する。
【００１１】
すなわち、本発明では、上層マットレスと下層マットレスとを積層した多層構造マットレスにおいて、重なり合う上層マットレスの一端部と下層マットレスの一端部との間に、上層マットレスの一端部が下層マットレスの一端部に対して下層マットレスの一端部よりも外方側へ向けて移動するのを促進させるための移動促進手段を設けることにしているために、ギャッジベッドの背もたれ部分を起立させる際に上層マットレスの一端部（使用者の頭部側端部）を下層マットレスの一端部（使用者の頭部側端部）に対して下層マットレスの一端部よりも外方側へ向けて良好に移動させることができ、使用者の床ずれを防止することができる。
【００１２】
特に、移動促進手段を、上層マットレスの他端部の下面と下層マットレスの他端部の上面との間の動摩擦係数よりも大きな動摩擦係数を有する面同士が相対的に移動することによって、上層マットレスの一端部が下層マットレスの一端部に対して下層マットレスの一端部よりも外方側へ向けて移動する構成とした場合には、ギャッジベッドの背もたれ部分を起立させる際に上層マットレスの一端部（使用者の頭部側端部）を下層マットレスの一端部（使用者の頭部側端部）に対して下層マットレスの一端部よりも外方側へ向けてより一層確実に移動させることができる。
【００１３】
また、移動促進手段として、重なり合う上層マットレスの一端部と下層マットレスの一端部との間に二つ折りにしたシートを設けることにした場合には、移動促進手段を簡単で安価な構成とすることができる。
【図面の簡単な説明】
【００１４】
【図１】本発明に係る多層構造マットレスを示す平面図（ａ）、側面図（ｂ）。
【図２】上層マットレスを仮想的に下層マットレスから持ち上げた状態を示す側面図（ａ）、正面図（ｂ）。
【図３】多層構造マットレスの動作を示す説明図。
【発明を実施するための形態】
【００１５】
以下に、本発明に係る多層構造マットレスの具体的な構成について図面を参照しながら説明する。
【００１６】
図１に示すように、多層構造マットレス１は、上層マットレス２と下層マットレス３とを上下に積層したものである。なお、ここでは、上層マットレス２と下層マットレス３とで二層構造としているが、これに限られず、上層マットレス２の上方や下層マットレス３の下方にさらに他のマットレスを積層したものであってもよい。
【００１７】
上層マットレス２及び下層マットレス３は、同一の平面積を有する矩形薄板状に形成しているが、上層マットレス２と下層マットレス３との平面積や平面形状が異なるものであってもよい。ここでは、上層マットレス２を下層マットレス３よりも薄くして、上層マットレス２の重量よりも下層マットレス３の重量の方が重くなるようにしている。これにより、下層マットレス３に対して上層マットレス２が相対的に移動しやすくなっている。
【００１８】
そして、重なり合う上層マットレス２の一端部（多層構造マットレス１に横臥する者の頭部側の端部）と下層マットレス３の一端部（多層構造マットレス１に横臥する者の頭部側の端部）との間には、上層マットレス２の一端部が下層マットレス３の一端部に対して下層マットレス３の一端部よりも外方側へ向けて移動するのを促進させるための移動促進手段４を設けている。
【００１９】
移動促進手段４は、１枚のシート５を二つ折りにして上層マットレス２の一端部と下層マットレス３の一端部との間に挟み込み、シート５の上側端を上層マットレス２の一端の下面側に接続するとともに、シート５の下側端を下層マットレス３の一端の上面側に接続している。
【００２０】
シート５は、図２に示すように、二つ折りにした状態における上側の端部６と下側の端部７とが中途部８よりも幅が広くなっており、上側端や下側端に向けて幅が漸次広くなるようにしている。これにより、二つ折りにした状態で重なり合う上側の端部６と下側の端部７との接触面積が中途部８同士の接触面積よりも広く（言い換えれば、上側の端部６と下側の端部７とが中途部８同士よりも滑りやすく）、上側端や下側端に向けて上側の端部６と下側の端部７との接触面積が漸次広く（言い換えれば、上側端や下側端に向かうにつれて滑りやすく）なるようにしている。
【００２１】
上記多層構造マットレス１では、一端部（多層構造マットレス１に横臥する者の頭部側の端部）においては、上層マットレス２の下面に二つ折りにしたシート５の上側の外側面とが接触するとともに、二つ折りにしたシート５の内側面同士が接触し、さらに、二つ折りにしたシート５の下側の外側面と下層マットレス３の上面とが接触した状態となっている。一方、多層構造マットレス１の他端部（多層構造マットレス１に横臥する者の足部側の端部）においては、上層マットレス２の下面と下層マットレス３の上面とが接触した状態となっている。
【００２２】
ここで、上層マットレス２の下面と二つ折りにしたシート５の上側の外側面との間の動摩擦係数がμ１、二つ折りにしたシート５の内側面同士の間の動摩擦係数がμ２、二つ折りにしたシート５の下側の外側面と下層マットレス３の上面との間の動摩擦係数がμ３、上層マットレス２の下面と下層マットレス３の上面との間の動摩擦係数がμ４とする。
【００２３】
そして、二つ折りにしたシート５の内側面同士の間の動摩擦係数μ２が、上層マットレス２の下面と二つ折りにしたシート５の上側の外側面との間の動摩擦係数μ１、二つ折りにしたシート５の下側の外側面と下層マットレス３の上面との間の動摩擦係数μ３、及び、上層マットレス２の下面と下層マットレス３の上面との間の動摩擦係数μ４よりも小さくなるように、上層マットレス２や下層マットレス３やシート５の表面素材を適宜選択している。
【００２４】
上記多層構造マットレス１は、図３に示すように、ギャッジベッドの背もたれ部分９を起立させる（図３（ａ）に示す状態から図３（ｂ）に示す状態にする）と、背もたれ部分９の起立動作（回転動作）に伴って多層構造マットレス１の中途部において折曲される。その際に、多層構造マットレス１の一端部（多層構造マットレス１に横臥する者の頭部側の端部）側だけに移動促進手段４が設けられているために、多層構造マットレス１の他端部（多層構造マットレス１に横臥する者の足部側の端部）側では、上層マットレス２と下層マットレス３との間に相対的なずれが生じず、一方、多層構造マットレス１の一端部（多層構造マットレス１に横臥する者の頭部側の端部）側では、移動促進手段４によって上層マットレス２の一端部が下層マットレス３の一端部に対して下層マットレス３の一端部よりも外方側へ向けて移動する。
【００２５】
以上に説明したように、上記多層構造マットレス１は、重なり合う上層マットレス２の一端部と下層マットレス３の一端部との間に、上層マットレス２の一端部が下層マットレス３の一端部に対して下層マットレス３の一端部よりも外方側へ向けて移動するのを促進させるための移動促進手段４を設けた構成となっている。
【００２６】
そのため、上記構成の多層構造マットレス１では、ギャッジベッドの背もたれ部分９を起立させる際に上層マットレス２の一端部（使用者の頭部側端部）を下層マットレス３の一端部（使用者の頭部側端部）に対して下層マットレス３の一端部よりも外方側へ向けて良好に移動させることができ、使用者の身体と上層マットレス２との間でずれが生じるのを防止することができるので、使用者の床ずれを防止することができる。
【００２７】
また、上記多層構造マットレス１では、移動促進手段４が、上層マットレス２の他端部の下面と下層マットレス３の他端部の上面との間の動摩擦係数μ４よりも大きな動摩擦係数μ２を有する面同士が相対的に移動することによって、上層マットレス２の一端部が下層マットレス３の一端部に対して下層マットレス３の一端部よりも外方側へ向けて移動する構成となっている。
【００２８】
そのため、上記構成の多層構造マットレス１では、ギャッジベッドの背もたれ部分９を起立させる際に上層マットレス２の一端部（使用者の頭部側端部）を下層マットレス３の一端部（使用者の頭部側端部）に対して下層マットレス３の一端部よりも外方側へ向けてより一層確実に移動させることができる。
【００２９】
また、上記多層構造マットレス１では、移動促進手段４が、重なり合う上層マットレス２の一端部と下層マットレス３の一端部との間に二つ折りにしたシート５を設けた構成となっている。
【００３０】
そのため、上記構成の多層構造マットレス１では、移動促進手段４を簡単で安価な構成とすることができる。
【００３１】
なお、移動促進手段４は、多層構造マットレス１において一端部（頭部側端部）側が他端部側（足部側端部）側よりも下層マットレス３に対して上層マットレス２が移動しやすく（ずれやすく）なっていればよく、上記構成に限られない。たとえば、上層マットレス２の下面（或は下層マットレス３の上面）の一端部側の素材と他端部側の素材とを異ならせてもよく、また、上層マットレス２の下面と下層マットレス３の上面との間に一端部側だけ動摩擦係数を低減させる薬剤（グリース）などを塗布してもよい。
【符号の説明】
【００３２】
１  多層構造マットレス              ２  上層マットレス
３  下層マットレス                  ４  移動促進手段
５  シート                          6,7  端部
８  中途部                          ９  背もたれ部分
【図１】
2017217223.tif 000003
【図２】
2017217223.tif 000004
【図３】
2017217223.tif 000005
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
上層マットレスと下層マットレスとを積層した多層構造マットレスにおいて、
上層マットレスよりも下層マットレスを重くし、重なり合う上層マットレスの一端部と下層マットレスの一端部との間に、上層マットレスの一端部が下層マットレスの一端部に対して下層マットレスの一端部よりも外方側へ向けて移動するのを促進させるための移動促進手段を設けたことを特徴とする多層構造マットレス。
【請求項２】
前記移動促進手段は、上層マットレスの他端部の下面と下層マットレスの他端部の上面との間の動摩擦係数よりも小さな動摩擦係数を有する面同士が相対的に移動することによって、上層マットレスの一端部が下層マットレスの一端部に対して下層マットレスの一端部よりも外方側へ向けて移動する構成としたことを特徴とする請求項１に記載の多層構造マットレス。
【請求項３】
前記移動促進手段は、重なり合う上層マットレスの一端部と下層マットレスの一端部との間に二つ折りにしたシートを設けたことを特徴とする請求項２に記載の多層構造マットレス。
【手続補正２】
【補正対象書類名】明細書
【補正対象項目名】０００７
【補正方法】変更
【補正の内容】
【０００７】
そこで、請求項１に係る本発明では、上層マットレスと下層マットレスとを積層した多層構造マットレスにおいて、上層マットレスよりも下層マットレスを重くし、重なり合う上層マットレスの一端部と下層マットレスの一端部との間に、上層マットレスの一端部が下層マットレスの一端部に対して下層マットレスの一端部よりも外方側へ向けて移動するのを促進させるための移動促進手段を設けることにした。
【手続補正３】
【補正対象書類名】明細書
【補正対象項目名】０００８
【補正方法】変更
【補正の内容】
【０００８】
また、請求項２に係る本発明では、前記請求項１に係る本発明において、前記移動促進手段は、上層マットレスの他端部の下面と下層マットレスの他端部の上面との間の動摩擦係数よりも小さな動摩擦係数を有する面同士が相対的に移動することによって、上層マットレスの一端部が下層マットレスの一端部に対して下層マットレスの一端部よりも外方側へ向けて移動する構成とすることにした。